(57)【特許請求の範囲】
【請求項１】
操作部と、
前記操作部の第１方向の移動に伴って移動する可動部と、
前記可動部の移動に伴って作動する第１スイッチおよび第２スイッチと、
一方の面に前記第１スイッチおよび前記第２スイッチが取り付けられた基板と、
を備え、
前記可動部は、前記操作部の前記第１方向一方向きの移動に伴って第１移動動作を行い、かつ、前記操作部の前記第１方向他方向きの移動に伴って前記第１移動動作と異なる第２移動動作を行い、
前記第１移動動作は、前記操作部の前記第１方向一方向きの移動とは異なり、
前記第２移動動作は、前記操作部の前記第１方向他方向きの移動とは異なり、
前記第１スイッチは、前記可動部の前記第１移動動作によって作動し、
前記第２スイッチは、前記可動部の前記第２移動動作によって作動するとともに、
前記第１移動動作および前記第２移動動作は、所定軸周りに前記可動部が回動する回動動作であり、
前記所定軸は、前記第１方向と直交する第２方向と平行であり、かつ、前記第１方向および前記第２方向の両方と直交する第３方向において前記第１スイッチと前記第２スイッチとの間に位置し、
前記可動部は、連結機構によって前記操作部に対して回動可能に連結され、
前記連結機構は、前記第３方向において、前記所定軸よりも前記第２スイッチ側に配置されている、プッシュプルスイッチ装置。
【請求項２】
前記連結機構と前記所定軸との前記第３方向の距離は、前記可動部における前記第１スイッチと接触する部分と前記所定軸との間の前記第３方向の距離よりも大きい、請求項１に記載のプッシュプルスイッチ装置。
【請求項３】
前記連結機構は、
前記操作部と前記可動部との一方に設けられた保持穴と、
前記操作部と前記可動部との他方に設けられ、前記保持穴に挿入されるピンと、
によって構成されている、請求項１または２に記載のプッシュプルスイッチ装置。
【請求項４】
操作部と、
前記操作部の第１方向の移動に伴って移動する可動部と、
前記可動部の移動に伴って作動する第１スイッチおよび第２スイッチと、
一方の面に前記第１スイッチおよび前記第２スイッチが取り付けられた基板と、
を備え、
前記可動部は、前記操作部の前記第１方向一方向きの移動に伴って第１移動動作を行い、かつ、前記操作部の前記第１方向他方向きの移動に伴って前記第１移動動作と異なる第２移動動作を行い、
前記第１移動動作は、前記操作部の前記第１方向一方向きの移動とは異なり、
前記第２移動動作は、前記操作部の前記第１方向他方向きの移動とは異なり、
前記第１スイッチは、前記可動部の前記第１移動動作によって作動し、
前記第２スイッチは、前記可動部の前記第２移動動作によって作動するとともに、
前記第１移動動作および前記第２移動動作は、前記可動部が直線的に移動する移動動作である、プッシュプルスイッチ装置。
【発明の詳細な説明】
【技術分野】
【０００１】
本発明は、プッシュプルスイッチ装置に関する。
【背景技術】
【０００２】
操作釦を押し引きして接点部間の短絡を切り換えるプッシュプルスイッチが知られている（例えば、特許文献１参照）。特許文献１のプッシュプルスイッチでは、スイッチ基板の両面にそれぞれ接点部が設けられ、操作釦の押し引きに応じて各接点部の短絡が切り換えられる。
【先行技術文献】
【特許文献】
【０００３】
【特許文献１】実公昭６２−１３３０３号公報
【発明の概要】
【発明が解決しようとする課題】
【０００４】
上記のようなプッシュプルスイッチでは、スイッチ基板の両面に接点部（スイッチ）がそれぞれ設けられているため、スイッチ基板に接点部を実装する手間が掛かる問題があった。これにより、プッシュプルスイッチの組み立て性が低下する問題があった。
【０００５】
本発明の一つの態様は、上記問題点に鑑みて、組み立て性に優れたプッシュプルスイッチ装置を提供することを目的の一つとする。
【課題を解決するための手段】
【０００６】
本発明のプッシュプルスイッチ装置の一つの態様は、操作部と、前記操作部の第１方向の移動に伴って移動する可動部と、前記可動部の移動に伴って作動する第１スイッチおよび第２スイッチと、一方の面に前記第１スイッチおよび前記第２スイッチが取り付けられた基板と、を備え、前記可動部は、前記操作部の前記第１方向一方向きの移動に伴って第１移動動作を行い、かつ、前記操作部の前記第１方向他方向きの移動に伴って前記第１移動動作と異なる第２移動動作を行い、前記第１移動動作は、前記操作部の前記第１方向一方向きの移動とは異なり、前記第２移動動作は、前記操作部の前記第１方向他方向きの移動とは異なり、前記第１スイッチは、前記可動部の前記第１移動動作によって作動し、前記第２スイッチは、前記可動部の前記第２移動動作によって作動するとともに、前記第１移動動作および前記第２移動動作は、所定軸周りに前記可動部が回動する回動動作であり、前記所定軸は、前記第１方向と直交する第２方向と平行であり、かつ、前記第１方向および前記第２方向の両方と直交する第３方向において前記第１スイッチと前記第２スイッチとの間に位置し、前記可動部は、連結機構によって前記操作部に対して回動可能に連結され、前記連結機構は、前記第３方向において、前記所定軸よりも前記第２スイッチ側に配置されている。
【００１０】
前記連結機構と前記所定軸との前記第３方向の距離は、前記可動部における前記第１スイッチと接触する部分と前記所定軸との間の前記第３方向の距離よりも大きい構成としてもよい。
【００１１】
前記連結機構は、前記操作部と前記可動部との一方に設けられた保持穴と、前記操作部と前記可動部との他方に設けられ、前記保持穴に挿入されるピンと、によって構成されていてもよい。
【００１２】
操作部と、前記操作部の第１方向の移動に伴って移動する可動部と、前記可動部の移動に伴って作動する第１スイッチおよび第２スイッチと、一方の面に前記第１スイッチおよび前記第２スイッチが取り付けられた基板と、を備え、前記可動部は、前記操作部の前記第１方向一方向きの移動に伴って第１移動動作を行い、かつ、前記操作部の前記第１方向他方向きの移動に伴って前記第１移動動作と異なる第２移動動作を行い、前記第１移動動作は、前記操作部の前記第１方向一方向きの移動とは異なり、前記第２移動動作は、前記操作部の前記第１方向他方向きの移動とは異なり、前記第１スイッチは、前記可動部の前記第１移動動作によって作動し、前記第２スイッチは、前記可動部の前記第２移動動作によって作動するとともに、前記第１移動動作および前記第２移動動作は、前記可動部が直線的に移動する移動動作である構成としてもよい。
【発明の効果】
【００１３】
本発明の一つの態様によれば、組み立て性に優れたプッシュプルスイッチ装置が提供される。
【図面の簡単な説明】
【００１４】
【図１】図１は、第１実施形態のプッシュプルスイッチ装置を示す斜視図である。
【図２】図２は、第１実施形態のプッシュプルスイッチ装置を示す断面図である。
【図３】図３は、第１実施形態のプッシュプルスイッチ装置を示す断面図である。
【図４】図４は、第１実施形態のプッシュプルスイッチ装置を示す断面図である。
【図５】図５は、第２実施形態のプッシュプルスイッチ装置を示す断面図である。
【図６】図６は、第２実施形態のプッシュプルスイッチ装置を示す断面図である。
【図７】図７は、第２実施形態のプッシュプルスイッチ装置を示す断面図である。
【発明を実施するための形態】
【００１５】
以下、図面を参照しながら、本発明の実施形態に係るプッシュプルスイッチ装置について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１６】
以下の説明においては、各図に示した３次元直交座標系（ＸＹＺ座標系）を適宜参照しつつ、各部の位置関係について説明する。Ｚ軸方向は、操作部を移動させる第１方向とする。Ｙ軸方向は、Ｚ軸方向と直交する一方向とする。Ｘ軸方向は、Ｚ軸方向およびＹ軸方向の両方と直交する方向とする。
【００１７】
また、以下の説明においては、Ｚ軸方向を「上下方向（第１方向）」と呼ぶ場合があり、Ｙ軸方向を「左右方向（第３方向）」と呼ぶ場合があり、Ｘ軸方向を「前後方向（第２方向）」と呼ぶ場合がある。Ｚ軸方向の正の側（＋Ｚ側）を「上側」と呼ぶ場合があり、Ｚ軸方向の負の側（−Ｚ側）を「下側」と呼ぶ場合がある。Ｙ軸方向の正の側（＋Ｙ側）を「右側」と呼ぶ場合があり、Ｙ軸方向の負の側（−Ｙ側）を「左側」と呼ぶ場合がある。なお、上下方向、左右方向、前後方向、上側、下側、右側および左側は、単に各部の位置関係を説明するための名称であり、実際の各部の位置関係および実際のプッシュプルスイッチ装置の使用態様および姿勢を限定しない。
【００１８】
＜第１実施形態＞
図１は、本実施形態のプッシュプルスイッチ装置１０を示す斜視図である。図２は、図１におけるII−II断面図である。図３および図４は、図２と同様の断面を示す断面図である。図３および図４においては、プッシュプルスイッチ装置１０の状態が、図１および図２に示すプッシュプルスイッチ装置１０の状態と異なっている。
【００１９】
本実施形態のプッシュプルスイッチ装置１０は、図１および図２に示すように、操作部５０と、支持部材３０と、可動部２０と、基板７０と、第１スイッチ６１および第２スイッチ６２と、第１押圧部材４１と、第２押圧部材４２と、を備える。
【００２０】
操作部５０は、操作者によって上下方向に移動させられる。可動部２０は、操作部５０の上下方向の移動に伴って移動する。支持部材３０は、可動部２０を移動可能に支持している。基板７０には、第１スイッチ６１および第２スイッチ６２が取り付けられている。第１スイッチ６１および第２スイッチ６２は、可動部２０の移動に伴って作動する。第１スイッチ６１および第２スイッチ６２は、第１押圧部材４１および第２押圧部材４２を介して可動部２０に押され、作動する。
【００２１】
プッシュプルスイッチ装置１０は、操作部５０の動作に応じて、ニュートラル状態と、第１状態と、第２状態と、の３つの状態に切り換えられる。ニュートラル状態は、第１スイッチ６１および第２スイッチ６２の両方が作動していない状態である。第１状態は、第１スイッチ６１が作動している状態である。第２状態は、第２スイッチ６２が作動している状態である。図１および図２は、ニュートラル状態を示している。図３は、第１状態を示している。図４は、第２状態を示している。
【００２２】
なお、本明細書において、「可動部が移動する」とは、可動部の少なくとも一部の位置が変化することを含む。すなわち、本明細書において、「可動部が移動する」とは、可動部がある軸周りに回動すること、ある方向に沿って直線的に移動すること、曲線的に移動すること、あるいはこれらの動きを組み合わせた動きをすること、を含む。例えば、本実施形態において可動部２０は、中心軸（所定軸）Ｊ周りに回動する。中心軸Ｊは、前後方向（Ｘ軸方向）と平行な仮想軸である。
【００２３】
以下の説明においては、ある対象に対して、左右方向における中心軸Ｊに近い側を「左右方向内側」と呼ぶ場合があり、左右方向における中心軸Ｊから遠い側を「左右方向外側」と呼ぶ場合がある。また、ある対象に対して、前後方向における可動部２０の中心に近い側を「前後方向内側」と呼ぶ場合があり、前後方向における可動部２０の中心から遠い側を「前後方向外側」と呼ぶ場合がある。
【００２４】
操作部５０は、プッシュプルスイッチ装置１０が搭載される機器に対して、上下方向に移動可能に保持されている。操作部５０の左右方向への移動は規制されている。操作部５０は、上下方向に延びている。操作部５０は、本体部５１と、一対の連結板部５２と、を有する。本体部５１は、例えば、上下方向に長い直方体状である。一対の連結板部５２は、図１に示すように、本体部５１の下端における前後方向の両端から下側に延びている。連結板部５２は、前後方向と直交する平面（ＹＺ平面）に拡がる板状である。連結板部５２の下部には、連結板部５２を前後方向に貫通する保持穴５２ａが形成されている。保持穴５２ａは、左右方向に延びる長穴である。
【００２５】
支持部材３０は、図２に示すように、基部３０ａと、第１ガイド部３１と、第２ガイド部３２と、一対の支持板部３３と、を有する。基部３０ａは、上下方向と直交する平面（ＸＹ平面）に拡がっている。第１ガイド部３１および第２ガイド部３２は、基部３０ａの上面から上側に突出している。第１ガイド部３１と第２ガイド部３２とは、左右方向に間隔を空けて配置されている。第１ガイド部３１は、中心軸Ｊよりも左側（−Ｙ側）に配置されている。第２ガイド部３２は、中心軸Ｊよりも右側（＋Ｙ側）に配置されている。
【００２６】
第１ガイド部３１の上面は、左右方向内側（＋Ｙ側）から左右方向外側（−Ｙ側）に向かって下側に傾斜する平坦な第１傾斜面３１ａである。第１ガイド部３１には、第１ガイド部３１および基部３０ａを上下方向に貫通する第１ガイド孔３１ｂが形成されている。第１ガイド孔３１ｂの断面形状は、例えば、円形状である。
【００２７】
第２ガイド部３２の上面は、左右方向内側（−Ｙ側）から左右方向外側（＋Ｙ側）に向かって下側に傾斜する平坦な第２傾斜面３２ａである。第２ガイド部３２には、第２ガイド部３２および基部３０ａを上下方向に貫通する第２ガイド孔３２ｂが形成されている。第２ガイド孔３２ｂの断面形状は、例えば、円形状である。
【００２８】
支持板部３３は、図１および図２に示すように、基部３０ａの上面から上側に延びている。支持板部３３は、前後方向と直交する平面（ＹＺ平面）に拡がる板状である。支持板部３３は、左右方向において、第１ガイド部３１と第２ガイド部３２との間に位置している。一対の支持板部３３は、前後方向に間隔を空けて対向して配置されている。一対の支持板部３３は、それぞれ他方の支持板部３３に向かって突出する（前後方向内側に突出する）軸部３４を有する。一対の支持板部３３の軸部３４は、共に中心軸Ｊを中心とする円柱状である。
【００２９】
可動部２０は、基部２０ａと、第１部分２１と、第２部分２２と、一対の中央板部２３と、一対のピン２４と、を有する。基部２０ａは、左右方向に延びている。第１部分２１は、基部２０ａの左側（−Ｙ側）の端部に設けられている。第１部分２１は、第１本体部２１ａと、一対の第１板部２１ｂと、を有する。第１本体部２１ａは、略直方体状である。図２に示すように、第１本体部２１ａの下面である第１接触面２１ｃは、第１ガイド部３１の第１傾斜面３１ａと上下方向に対向している。一対の第１板部２１ｂは、図１に示すように、第１本体部２１ａの前後方向の両端から下側に延びている。第１板部２１ｂは、前後方向と直交する平面（ＹＺ平面）に拡がる板状である。
【００３０】
第２部分２２は、基部２０ａの右側（＋Ｙ側）の端部に設けられている。第２部分２２は、第２本体部２２ａと、一対の第２板部２２ｂと、を有する。第２本体部２２ａは、略直方体状である。図２に示すように、第２本体部２２ａの下面である第２接触面２２ｃは、第２ガイド部３２の第２傾斜面３２ａと上下方向に対向している。一対の第２板部２２ｂは、第２本体部２２ａの前後方向の両端から下側に延びている。第２板部２２ｂは、前後方向と直交する平面（ＹＺ平面）に拡がる板状である。
【００３１】
一対の中央板部２３は、図１および図２に示すように、基部２０ａの左右方向の中央における前後方向の両端から下側に延びている。中央板部２３は、前後方向と直交する平面（ＹＺ平面）に拡がる板状である。一対の中央板部２３には、それぞれ中央板部２３を前後方向に貫通する軸穴２３ａが形成されている。軸穴２３ａの断面形状は、円形状であり、軸穴２３ａの中心には、中心軸Ｊが通る。一対の中央板部２３の軸穴２３ａには、一対の支持板部３３の軸部３４が前後方向外側からそれぞれ挿入されて嵌め合わされている。これにより、可動部２０は、支持部材３０に対して、中心軸Ｊ周りに回動可能に支持されている。
【００３２】
一対のピン２４は、一対の第２板部２２ｂのそれぞれから前後方向外側に突出している。ピン２４は、略円柱状である。ピン２４は、連結板部５２の保持穴５２ａに前後方向内側から挿入されている。ピン２４の上下方向の両端は、例えば、保持穴５２ａの上下方向の内側面と接触している。本実施形態においてピン２４は、左右方向において、第２スイッチ６２の中心および操作部５０の中心とほぼ同じ位置に配置されている。
【００３３】
保持穴５２ａとピン２４とによって、操作部５０の移動を変換して可動部２０に伝達する連結機構８０が構成されている。本実施形態において可動部２０は、連結機構８０によって操作部５０に対して回動可能に連結されている。連結機構８０は、左右方向において、中心軸Ｊよりも第２スイッチ６２側（右側，＋Ｙ側）に配置されている。本実施形態において連結機構８０は、左右方向において、第２スイッチ６２の中心および操作部５０の中心とほぼ同じ位置に配置されている。可動部２０は、例えば、単一の部材であり、射出成型等によって製造される。
【００３４】
基板７０は、支持部材３０の下側に配置されている。基板７０は、上下方向と直交する平面（ＸＹ平面）に拡がる板状である。基板７０は、例えば、支持部材３０に固定されている。基板７０の上面７０ａには、第１スイッチ６１および第２スイッチ６２が取り付けられている。
【００３５】
第１スイッチ６１および第２スイッチ６２は、例えば、タクタイルスイッチである。第１スイッチ６１は、第１ガイド孔３１ｂと上下方向に対向して配置されている。第１スイッチ６１は、第１筐体部６１ａと、第１ボタン部６１ｂと、を有する。第１筐体部６１ａは、平面視正方形の中空箱状である。第１ボタン部６１ｂは、円柱状である。第１ボタン部６１ｂは、第１筐体部６１ａに対して上下方向に移動可能に取り付けられている。
【００３６】
第１ボタン部６１ｂは、図２に示す第１スイッチ６１が作動していない状態において、第１筐体部６１ａから上側に突出している。第１スイッチ６１は、図３に示すように、第１ボタン部６１ｂが第１筐体部６１ａの内部に押し込まれることで作動する。
【００３７】
第２スイッチ６２は、第２ガイド孔３２ｂと上下方向に対向して配置されている。第２スイッチ６２は、第２筐体部６２ａと、第２ボタン部６２ｂと、を有する。第２筐体部６２ａは、平面視正方形の中空箱状である。第２ボタン部６２ｂは、円柱状である。第２ボタン部６２ｂは、第２筐体部６２ａに対して上下方向に移動可能に取り付けられている。
【００３８】
第２ボタン部６２ｂは、図２に示す第２スイッチ６２が作動していない状態において、第２筐体部６２ａから上側に突出している。第２スイッチ６２は、図４に示すように、第２ボタン部６２ｂが第２筐体部６２ａの内部に押し込まれることで作動する。
【００３９】
なお、図２から図４においては、第１スイッチ６１および第２スイッチ６２を模式的に一体部材として示している。
【００４０】
第１押圧部材４１は、第１スイッチ６１の第１ボタン部６１ｂの上面に配置されている。第１押圧部材４１は、第１スライド部４１ａと、第１フランジ部４１ｂと、を有している。第１スライド部４１ａは、上下方向に延びる円柱状である。第１スライド部４１ａは、第１ガイド孔３１ｂに嵌め合わされている。第１スライド部４１ａは、第１ガイド孔３１ｂ内を上下方向に移動可能である。第１スライド部４１ａの上端は、第１接触面２１ｃと上下方向に対向している。第１スライド部４１ａの上端は半球状である。第１スライド部４１ａの上端は、第１スイッチ６１が作動していない状態において、第１ガイド孔３１ｂから上側に突出している。
【００４１】
第１フランジ部４１ｂは、第１スライド部４１ａの下端から第１スライド部４１ａの径方向外側に拡がっている。第１フランジ部４１ｂの下面は、第１ボタン部６１ｂの上面と接触している。第１フランジ部４１ｂの上面は、例えば、第１スイッチ６１が作動していない状態において、支持部材３０の基部３０ａの下面と接触している。本実施形態において可動部２０は、第１押圧部材４１を介して間接的に第１スイッチ６１と接触している。
【００４２】
第２押圧部材４２は、第２スイッチ６２の第２ボタン部６２ｂの上面に配置されている。第２押圧部材４２は、第２スライド部４２ａと、第２フランジ部４２ｂと、を有している。第２スライド部４２ａは、上下方向に延びる円柱状である。第２スライド部４２ａは、第２ガイド孔３２ｂに嵌め合わされている。第２スライド部４２ａは、第２ガイド孔３２ｂ内を上下方向に移動可能である。第２スライド部４２ａの上端は、第２接触面２２ｃと上下方向に対向している。第２スライド部４２ａの上端は半球状である。第２スライド部４２ａの上端は、第２スイッチ６２が作動していない状態において、第２ガイド孔３２ｂから上側に突出している。
【００４３】
第２フランジ部４２ｂは、第２スライド部４２ａの下端から第２スライド部４２ａの径方向外側に拡がっている。第２フランジ部４２ｂの下面は、第２ボタン部６２ｂの上面と接触している。第２フランジ部４２ｂの上面は、例えば、第２スイッチ６２が作動していない状態において、支持部材３０の基部３０ａの下面と接触している。本実施形態において可動部２０は、第２押圧部材４２を介して間接的に第２スイッチ６２と接触している。
【００４４】
図２では、可動部２０における第１スイッチ６１と接触する部分と中心軸Ｊとの間の左右方向の距離Ｌ１と、連結機構８０と中心軸Ｊとの左右方向の距離Ｌ２とは、例えば、同じである。本実施形態において、可動部２０における第１スイッチ６１と接触する部分とは、可動部２０における第１スイッチ６１と間接的に接触する部分、すなわち第１押圧部材４１の上端と接触する部分である。本実施形態において連結機構８０と中心軸Ｊとの左右方向の距離Ｌ２とは、ピン２４の中心と中心軸Ｊとの左右方向の距離である。
【００４５】
本実施形態において距離Ｌ１は、第１スイッチ６１における第１ボタン部６１ｂの左右方向の中心と中心軸Ｊとの左右方向の距離と同じである。本実施形態において距離Ｌ２は、第２スイッチ６２における第２ボタン部６２ｂの左右方向の中心と中心軸Ｊとの左右方向の距離と同じである。
【００４６】
次に、プッシュプルスイッチ装置１０の動作について説明する。可動部２０は、操作部５０の上向き（第１方向一方向き）の移動に伴って第１移動動作を行い、かつ、操作部５０の下向き（第１方向他方向き）の移動に伴って第１移動動作と異なる第２移動動作を行う。第１移動動作は、操作部５０の上向きの移動とは異なり、第２移動動作は、操作部５０の下向きの移動とは異なる。本実施形態において第１移動動作および第２移動動作は、中心軸Ｊ周りに可動部２０が回動する回動動作である。第１スイッチ６１は、第１移動動作によって作動し、第２スイッチ６２は、第２移動動作によって作動する。
【００４７】
なお、本明細書において、「第１移動動作と第２移動動作とが異なる」とは、可動部の移動の種類、可動部が移動する向き、および可動部が移動する量等の少なくとも一つが異なることを含む。例えば、第１移動動作と第２移動動作とが同じ向きに可動部が移動する移動動作であっても、各移動動作において移動する量が異なっていれば、第１移動動作と第２移動動作とは異なっている。
【００４８】
また、本明細書において、「可動部の移動動作が操作部の移動とは異なる」とは、操作部の移動によって可動部が移動動作を行った際に、可動部の少なくとも一部が操作部の移動方向とは異なる方向に移動することを含む。
【００４９】
図２に示すように、ニュートラル状態において、第１接触面２１ｃおよび第２接触面２２ｃは、上下方向と直交している。第１接触面２１ｃは、第１押圧部材４１の上端と接触している。第２接触面２２ｃは、第２押圧部材４２の上端と接触している。プッシュプルスイッチ装置１０の状態は、操作部５０が操作されて可動部２０の第１移動動作が行われることによって、ニュートラル状態から第１状態へと変化する。プッシュプルスイッチ装置１０の状態は、操作部５０が操作されて可動部２０の第２移動動作が行われることによって、ニュートラル状態から第２状態へと変化する。
【００５０】
本実施形態において第１移動動作は、図３に示すように、可動部２０が中心軸Ｊを中心として、正面視で（＋Ｘ側から−Ｘ側に視て）反時計回りに回動する動作である。操作部５０が上向きに引かれることで、連結機構８０を介して可動部２０の第２部分２２に上向きの力が加えられる。より詳細には、保持穴５２ａの下側の内側面がピン２４を下側から上向きに押し上げることで、第２部分２２に上向きの力が加えられる。これにより、可動部２０が中心軸Ｊを中心として反時計回りに回動し、第１移動動作が行われる。
【００５１】
第１移動動作が行われると、第２部分２２は上側に移動し、第１部分２１は下側に移動する。これにより、第１部分２１の第１接触面２１ｃによって第１押圧部材４１が下向きに押される。そして、第１押圧部材４１によって第１スイッチ６１の第１ボタン部６１ｂが下向きに押され、第１スイッチ６１が作動する。これにより、プッシュプルスイッチ装置１０の状態が、第１状態となる。
【００５２】
第１状態において、第１接触面２１ｃと第１傾斜面３１ａとは、例えば、互いに平行であり、接触している。第１状態においては、第２スイッチ６２は作動していない。第１状態において第２接触面２２ｃは、第２押圧部材４２から上側に離れている。
【００５３】
本実施形態において第２移動動作は、図４に示すように、可動部２０が中心軸Ｊを中心として、正面視で（＋Ｘ側から−Ｘ側に視て）時計回りに回動する動作である。操作部５０が下向きに押されることで、連結機構８０を介して可動部２０の第２部分２２に下向きの力が加えられる。より詳細には、保持穴５２ａの上側の内側面がピン２４を上側から下向きに押し下げることで、第２部分２２に下向きの力が加えられる。これにより、可動部２０が中心軸Ｊを中心として時計回りに回動し、第２移動動作が行われる。
【００５４】
第２移動動作が行われると、第１部分２１は上側に移動し、第２部分２２は下側に移動する。これにより、第２部分２２の第２接触面２２ｃによって第２押圧部材４２が下向きに押される。そして、第２押圧部材４２によって第２スイッチ６２の第２ボタン部６２ｂが下向きに押され、第２スイッチ６２が作動する。これにより、プッシュプルスイッチ装置１０の状態が、第２状態となる。
【００５５】
第２状態において、第２接触面２２ｃと第２傾斜面３２ａとは、例えば、互いに平行であり、接触している。第２状態においては、第１スイッチ６１は作動していない。第２状態において第１接触面２１ｃは、第１押圧部材４１から上側に離れている。
【００５６】
以上のようにして、プッシュプルスイッチ装置１０の状態は、３つの状態の間で切り換えられる。これにより、プッシュプルスイッチ装置１０が搭載される機器において、例えば、各種機能を切り換えることができる。
【００５７】
なお、第１移動動作および第２移動動作によって可動部２０が回動することで、ピン２４の左右方向の位置は変化する。ピン２４が挿入される保持穴５２ａは、左右方向に延びる長穴であるため、ピン２４の左右方向の移動が許容される。
【００５８】
例えば、単に操作部の上下方向の移動をそのまま利用して２つのスイッチの作動状態を切り換える場合について考える。この場合、操作部は、基本的に基板の一面に対して、単に近づく、あるいは離れるという単調な動作しかできないため、基板の一面に取り付けられた２つのスイッチの作動状態をそれぞれ切り換えることは困難である。したがって、この場合、２つのスイッチの作動状態を切り換えるためには、例えば、特許文献１に示すように基板の両面にそれぞれスイッチを取り付ける等の必要があった。
【００５９】
これに対して、本実施形態によれば、操作部５０の上向きの移動と下向きの移動とのそれぞれに応じて、互いに異なる第１移動動作および第２移動動作を行う可動部２０が設けられている。第１移動動作は、操作部５０の上向きの移動とは異なり、第２移動動作は、操作部５０の下向きの移動とは異なる。言い換えると、本実施形態においては、操作部５０の上下方向の移動が異なる２つの移動動作に変換して伝達される可動部２０が設けられている。これにより、可動部２０の第１移動動作および第２移動動作によって、基板７０の一面（上面７０ａ）に対してそれぞれ別のアプローチが可能となる。したがって、可動部２０を介することで、操作部５０の上下方向の移動によって、基板７０の一面（上面７０ａ）に取り付けられた第１スイッチ６１および第２スイッチ６２のそれぞれの作動状態を個別に切り換えることが可能となる。
【００６０】
このように、本実施形態によれば、基板７０の一面（上面７０ａ）に第１スイッチ６１および第２スイッチ６２の両方を取り付けることができ、プッシュプルスイッチ装置１０の組み立ての手間を少なくできる。そのため、組み立て性に優れたプッシュプルスイッチ装置１０が得られる。また、第１スイッチ６１および第２スイッチ６２を基板７０の一面に取り付けられるため、基板７０の他の一面（下面）を有効利用することができる。
【００６１】
また、本実施形態によれば、第１移動動作および第２移動動作は、回動動作である。そのため、可動部２０を一点（中心軸Ｊ）で回動可能に支持することで、操作部５０の上下方向の移動を、容易に可動部２０の第１移動動作および第２移動動作に変換することができる。したがって、プッシュプルスイッチ装置１０の構造を簡単にできる。
【００６２】
また、本実施形態によれば、可動部２０の回動動作の支点となる中心軸Ｊは、左右方向において第１スイッチ６１と第２スイッチ６２との間に位置している。そのため、第１移動動作において可動部２０が回動する向きと、第２移動動作において可動部２０が回動する向きと、を互いに反対向きとして、各移動動作を各スイッチの作動動作として割り当てることができる。これにより、簡単な構造で、各スイッチを確実に作動させやすい。
【００６３】
また、本実施形態によれば、可動部２０と操作部５０とを連結する連結機構８０は、中心軸Ｊよりも第２スイッチ６２側に配置されている。そのため、操作部５０の上下方向の移動を、連結機構８０を介して、容易に可動部２０の回動動作に変換でき、かつ、第１移動動作において可動部２０が回動する向きと、第２移動動作において可動部２０が回動する向きと、を互いに反対向きにできる。
【００６４】
また、本実施形態によれば、連結機構８０は、操作部５０に設けられた保持穴５２ａと、可動部２０に設けられ保持穴５２ａに挿入されたピン２４と、によって構成されている。そのため、連結機構８０の構成を簡単にでき、プッシュプルスイッチ装置１０の製造コストを低減できる。また、本実施形態のようにピン２４を可動部２０と一体に設ける場合には、プッシュプルスイッチ装置１０の部品点数が増大することを抑制でき、プッシュプルスイッチ装置１０の組み立て工数が増大することを抑制できる。
【００６５】
また、本実施形態によれば、連結機構８０は、左右方向において、第２スイッチ６２の中心および操作部５０の中心とほぼ同じ位置に配置されている。そのため、操作部５０を下向きに移動させて可動部２０に第２移動動作を行わせる際に、操作部５０に加えられる操作力を、第２スイッチ６２に伝えやすい。これにより、第２移動動作を可動部２０に行わせる際に、操作部５０に加える操作力を低減できる。
【００６６】
また、第１状態において第１接触面２１ｃと第１傾斜面３１ａとが接触することで、可動部２０が図３に示す姿勢以上に反時計回りに回動することが防止される。また、第２状態において第２接触面２２ｃと第２傾斜面３２ａとが接触することで、可動部２０が図４に示す姿勢以上に時計回りに回動することが防止される。そのため、第１スイッチ６１の第１ボタン部６１ｂおよび第２スイッチ６２の第２ボタン部６２ｂが必要以上に下向きに押されることを抑制でき、第１スイッチ６１および第２スイッチ６２が破損することを抑制できる。
【００６７】
また、第１接触面２１ｃと第１傾斜面３１ａとは、第１状態において、互いに平行な状態で接触するため、可動部２０の回動を安定して規制することができる。また、第２接触面２２ｃと第２傾斜面３２ａとは、第２状態において、互いに平行な状態で接触するため、可動部２０の回動を安定して規制することができる。
【００６８】
なお、本発明は上述の実施形態に限られず、他の構成を採用することもできる。上述の実施形態と同様の構成については、適宜同一の符号を付すことにより説明を省略する場合がある。
【００６９】
可動部２０における第１スイッチ６１と接触する部分と中心軸Ｊとの間の左右方向の距離Ｌ１と、連結機構８０と中心軸Ｊとの左右方向の距離Ｌ２とは、異なっていてもよい。例えば、距離Ｌ２を、距離Ｌ１より大きくしてもよい。
【００７０】
例えば、操作部５０を下向きに移動させて、可動部２０に第２移動動作を行わせる場合には、操作部５０自体の自重を利用できるため、操作部５０に加えられる力が比較的小さくても第２スイッチ６２を作動させやすい。一方、操作部５０を上向きに移動させて、可動部２０に第１移動動作を行わせる場合には、第１スイッチ６１を作動させるために必要な力に加えて、操作部５０自体を持ち上げる力が必要となる。そのため、操作部５０に加えられる操作力を比較的大きくする必要がある。
【００７１】
これに対して、上記の構成によれば、距離Ｌ２を距離Ｌ１よりも大きくすることで、てこの原理によって、操作部５０を上向きに移動させた際に第１スイッチ６１に作用する力を大きくできる。そのため、操作部５０を上向きに移動させて、可動部２０に第１移動動作を行わせるのに必要な操作力を小さくできる。したがって、可動部２０に第１移動動作および第２移動動作を行わせる両方の場合において、操作部５０に加えられる操作力を比較的小さくできる。その結果、プッシュプルスイッチ装置１０の操作性を向上でき、操作者の利便性を向上できる。この効果は、操作部５０の重量が比較的大きい場合に特に大きく得られる。
【００７２】
このように、可動部２０の回動する支点である中心軸Ｊを第１スイッチ６１と第２スイッチ６２との間とすることで、距離Ｌ１と距離Ｌ２とを調整して、プッシュプルスイッチ装置１０の操作性を向上させることができる。
【００７３】
また、保持穴５２ａは、連結板部５２を貫通しない有底の穴であってもよい。また、連結機構を構成する保持穴が可動部２０に設けられ、連結機構を構成するピンが操作部５０に設けられてもよい。
【００７４】
また、可動部２０の軸穴２３ａは、中央板部２３を貫通しない有底の穴であってもよい。また、軸穴が支持部材３０の支持板部３３に設けられ、軸穴に嵌め合わされる軸部が可動部２０の中央板部２３に設けられてもよい。
【００７５】
＜第２実施形態＞
図５から図７は、本実施形態のプッシュプルスイッチ装置１１０を前後方向に沿って視た（＋Ｘ側から−Ｘ側に視た）断面図である。図５は、プッシュプルスイッチ装置１１０がニュートラル状態である場合を示している。図６は、プッシュプルスイッチ装置１１０が第１状態である場合を示している。図７は、プッシュプルスイッチ装置１１０が第２状態である場合を示している。
【００７６】
プッシュプルスイッチ装置１１０は、図５に示すように、操作部１５０と、ガイド部材１３０と、可動部１２０と、基板７０と、第１スイッチ１６１および第２スイッチ１６２と、を備える。
【００７７】
操作部１５０において連結板部１５２には、前後方向に突出するピン１５３が設けられている。ピン１５３は、例えば、円柱状である。操作部１５０のその他の構成は、第１実施形態の操作部５０の構成と同様である。
【００７８】
ガイド部材１３０は、上下方向と直交する平面（ＸＹ平面）に拡がる板状である。ガイド部材１３０は、基板７０の上側に配置されている。ガイド部材１３０には、ガイド部材１３０を上下方向に貫通する貫通孔１３０ａが形成されている。操作部１５０は、貫通孔１３０ａの内側を通って上下方向に延びている。
【００７９】
可動部１２０は、ガイド部材１３０と基板７０との上下方向の間に配置されている。可動部１２０は、断面（ＹＺ断面）形状が台形状の部材である。左右方向において、可動部１２０の断面形状の下底の寸法は、可動部１２０の断面形状の上底の寸法よりも小さい。可動部１２０の上面１２０ａは、ガイド部材１３０の下面と接触している。可動部１２０の下面１２０ｂは、基板７０の上面７０ａと接触している。可動部１２０は、ガイド部材１３０の下面と基板７０の上面７０ａとに対して、左右方向に摺動可能に配置されている。
【００８０】
可動部１２０の左側（−Ｙ側）の面である第１接触面１２１は、上側から下側に向かって右側（＋Ｙ側）に傾斜する傾斜面である。可動部１２０の右側（＋Ｙ側）の面である第２接触面１２２は、上側から下側に向かって左側（−Ｙ側）に傾斜する傾斜面である。
【００８１】
可動部１２０には、可動部１２０を前後方向に貫通する保持穴１２３が形成されている。保持穴１２３は、上下方向に対して傾いた方向に延びている。図５では、保持穴１２３は、上側から下側に向かって右側（＋Ｙ側）に傾斜している。保持穴１２３には、ピン１５３が挿入されている。
【００８２】
保持穴１２３とピン１５３とによって連結機構１８０が構成されている。本実施形態において連結機構１８０は、左右方向において、第１スイッチ１６１と第２スイッチ１６２との間に配置されている。
【００８３】
第１スイッチ１６１および第２スイッチ１６２は、基板７０の上面７０ａに取り付けられている。第１スイッチ１６１および第２スイッチ１６２は、上側から押されることで作動するスイッチである。第１スイッチ１６１および第２スイッチ１６２は、例えば、ゴム製のカバー内に可動接点が設けられたスイッチである。
【００８４】
次に、プッシュプルスイッチ装置１１０の動作について説明する。可動部１２０は、操作部１５０の上向き（第１方向一方向き）の移動に伴って第１移動動作を行い、かつ、操作部１５０の下向き（第１方向他方向き）の移動に伴って第１移動動作と異なる第２移動動作を行う。本実施形態において第１移動動作および第２移動動作は、可動部１２０が左右方向に沿って直線的に移動する移動動作である。第１スイッチ１６１は、第１移動動作によって作動し、第２スイッチ１６２は、第２移動動作によって作動する。
【００８５】
本実施形態において第１移動動作は、図６に示すように、可動部１２０が左向き（−Ｙ向き）に移動する動作である。操作部１５０が下向きに押されることで、ピン１５３が保持穴１２３の内側面を下向きに押す。これにより、ピン１５３が保持穴１２３に対して相対的に下側斜め右向きに移動する。ここで、操作部１５０の左右方向の移動は規制されているため、ピン１５３と保持穴１２３とが相対移動することで、可動部１２０が左右方向（左向き）に移動する。第１移動動作が行われると、第１接触面１２１によって第１スイッチ１６１が下向きに押され、第１スイッチ１６１が作動する。これにより、プッシュプルスイッチ装置１１０の状態が、第１状態となる。
【００８６】
本実施形態において第２移動動作は、図７に示すように、可動部１２０が右向き（＋Ｙ向き）に移動する動作である。操作部１５０が上向きに引かれることで、ピン１５３が保持穴１２３の内側面を上向きに押す。これにより、ピン１５３が保持穴１２３に対して相対的に上側斜め左向きに移動し、可動部１２０が右向きに移動する。第２移動動作が行われると、第２接触面１２２によって第２スイッチ１６２が下向きに押され、第２スイッチ１６２が作動する。これにより、プッシュプルスイッチ装置１１０の状態が、第２状態となる。
【００８７】
本実施形態によれば、可動部１２０が直線的な移動動作を行うことで各スイッチの作動状態を切り換えることができる。そのため、可動部１２０の移動方向を、各スイッチが配置される基板７０の上面７０ａと平行な方向とすることで、プッシュプルスイッチ装置１１０全体を上下方向に小型化できる。
【００８８】
なお、上記説明した各実施形態において、第１スイッチおよび第２スイッチは、特に限定されない。第１スイッチおよび第２スイッチは、例えば、金属製の反転バネを有するプッシュスイッチであってもよい。また、第１スイッチおよび第２スイッチとして、磁気センサーおよび光センサー等のセンサーを用いてもよい。この場合、例えば、センサーによって可動部の動きを検出することで、各スイッチとしてのセンサーが作動する構成としてもよい。
【００８９】
また、上記説明した各実施形態のプッシュプルスイッチ装置が搭載される機器は、特に限定されない。一例として、各実施形態のプッシュプルスイッチ装置は、車両内に設けられる機器に搭載される。
【００９０】
また、上記説明した各構成は、相互に矛盾しない範囲内において、適宜組み合わせることができる。
【符号の説明】
【００９１】
１０，１１０…プッシュプルスイッチ装置、２０，１２０…可動部、２４，１５３…ピン、５０，１５０…操作部、５２ａ，１２３…保持穴、６１，１６１…第１スイッチ、６２，１６２…第２スイッチ、７０…基板、８０，１８０…連結機構、Ｊ…中心軸（所定軸）
【図１】
0006652875.tif 000002
【図２】
0006652875.tif 000003
【図３】
0006652875.tif 000004
【図４】
0006652875.tif 000005
【図５】
0006652875.tif 000006
【図６】
0006652875.tif 000007
【図７】
0006652875.tif 000008